(57)【要約】  【課題】  ゲルマニウムを取付けた金属製メガネフレームのツルにおいて、ゲルマニウムが表面から僅かに突出すると共に、外れ落ちないように取着したツルの提供。【解決手段】  先端部に挿着したモダン８の先端に穴１４を貫通して設け、該穴１４には概略Ｈ形断面で軸部１７の両端にツバ１６，１６を形成したシリコン樹脂ピース１５を嵌めると共に両ツバ１６，１６でモダン８を挟み込み、そしてシリコン樹脂ピース１５にはゲルマニウム９を表面から僅かに突出した状態で埋着している。【選択図】    図３
0003115543.tif 000002
【実用新案登録請求の範囲】
【請求項１】
ゲルマニウムを取付けた金属製メガネフレームのツルにおいて、先端部に挿着したモダンの内表面に段付き穴を設け、該段付き穴に嵌る形状の凸部を底に形成した概略円盤状のゲルマニウムを内表面から僅かに突出した状態で接着剤を介して固着したことを特徴とするメガネフレームのツル。
【請求項２】
ゲルマニウムを取付けた金属製メガネフレームのツルにおいて、先端部に挿着したモダンの内表面に穴を設け、該穴にはシリコン樹脂ピースを嵌めて固着すると共に、シリコン樹脂ピースにはゲルマニウムを表面から僅かに突出した状態で埋着したことを特徴とするメガネフレームのツル。
【請求項３】
ゲルマニウムを取付けた金属製メガネフレームのツルにおいて、先端部に挿着したモダンの先端に穴を貫通して設け、該穴には概略Ｈ形断面で軸部の両端にツバを形成したシリコン樹脂ピースを嵌めると共に両ツバでモダンを挟み込み、そしてシリコン樹脂ピースにはゲルマニウムを表面から僅かに突出した状態で埋着したことを特徴とするメガネフレームのツル。
【請求項４】
ゲルマニウムを取付けた金属製メガネフレームのツルにおいて、ゲルマニウムに穴を貫通して設け、該穴にツルを挿通すると共に接着剤にて固着したことを特徴とするメガネフレームのツル。
【請求項５】
ゲルマニウムを取付けた金属製メガネフレームのツルにおいて、シリコン樹脂ピースにはゲルマニウムを表面から僅かに突出した状態で埋着し、このシリコン樹脂ピースに穴を貫通して設け、該穴にツルを挿通したことを特徴とするメガネフレームのツル。
【請求項６】
ゲルマニウムを取付けた樹脂製メガネフレームのツルにおいて、ツル先端部の内表面に段付き穴を設け、該段付き穴に嵌る形状の凸部を底に形成した概略円盤状のゲルマニウムを内表面から僅かに突出した状態で接着剤を介して固着したことを特徴とするメガネフレームのツル。
【請求項７】
ゲルマニウムを取付けた樹脂製メガネフレームのツルにおいて、ツル先端部の内表面に穴を設け、該穴にはシリコン樹脂ピースを嵌めて固着すると共に、シリコン樹脂ピースにはゲルマニウムを表面から僅かに突出した状態で埋着したことを特徴とするメガネフレームのツル。
【請求項８】
ゲルマニウムを取付けた樹脂製メガネフレームのツルにおいて、ツル先端に穴を貫通して設け、該穴には概略Ｈ形断面で軸部の両端にツバを形成したシリコン樹脂ピースを嵌めると共に両ツバでツルを挟み込み、そしてシリコン樹脂ピースにはゲルマニウムを表面から僅かに突出した状態で埋着したことを特徴とするメガネフレームのツル。
【考案の詳細な説明】
【技術分野】
【０００１】
本考案はメガネを顔に掛ける場合に、フロント部は鼻当てパットを介して鼻で支持され、またフロント部から延びるツルは耳に掛けられるが、本考案は上記ツルに関するものである。
【背景技術】
【０００２】
メガネはフロント部と該フロント部の両側に取付けられているツルから成り、該ツルは蝶番等の継手を介して折畳むことが出来る。フロント部の形態は色々あって、一般的には、レンズが嵌るリムを連結部材にて連結すると共にリム外側にはヨロイをロウ付けして構成している。又、リムとして上側半分のハーフリムを使用し、レンズ下側は水糸にて保持するタイプのフロント部もある。更には、リムを用いることなく両レンズを連結部材の両側に直接ネジ止めすると共に、レンズ外側にはヨロイを直接ネジ止めして構成する縁なしメガネも多用されている。
【０００３】
そして、これら各フロント部には鼻の甲に当たって支持される鼻当てパットが取付けられ、フロント部の両側から延びるツルは顔側面から耳に達し、ツル先端部に挿着している概略Ｌ形のモダンが耳に係止することが出来るように成っている。このように、メガネは鼻当てパットとツルとで顔に安定して掛けることが出来る。
【０００４】
顔に掛けたメガネが位置ズレしないように、勿論、顔から外れないように色々な工夫が成され、鼻の甲に当ってフロント部が支持される鼻当てパットの材質として柔らかいシリコン樹脂を使用して、滑らないように又肌当りを良好ならしめている。又モダンの内側にもシリコン樹脂層を設けたり、細かい凹凸面とするなどの工夫が行なわれている。
【０００５】
メガネを安定して掛ける以外に健康の増進を狙ったメガネフレームも製作され、例えばゲルマニウムをツルに取付けたものが知られている。ゲルマニウムにはイオン浸透効果があり、マイナス自由電子が皮膚から深く浸透し、患部を形成しているプラスイオンを中和してコリや痛みを和らげることが出来る。また、局部加温効果があり、患部周辺の温度を０．５℃〜１℃上昇させ、患部の血管を拡げて血行を増進することが出来る。さらに、ツボ圧着効果があり、患部を圧着することでツボを刺激し、関節や筋肉の痛みやコリを取ることが出来る。
【０００６】
実用新案登録第３１０５６９４号に係る「メガネフレーム」は、メガネフレームを構成する部品の皮膚と接する部分に、ゲルマニウムを該部品表面から突出した状態で取付けている。例えば、モダンに円錐形の貫通穴を設け、この穴に円錐形のゲルマニウムを嵌めると共に接着し、先端をモダン表面から突出させることで、メガネを掛けた際にゲルマニウム先端は皮膚に接する。
【０００７】
しかし、上記モダンに円錐形の貫通穴を明ける加工は面倒であると共に、ゲルマニウムを固定する為の固着剤がモダンに表面化するために、外観が損なわれる。一方、モダンには金属製のツル芯金が埋着されるために、該モダンに円錐形の貫通穴を設けることが出来る箇所は芯金が存在しない先端部に限られてしまう。
【０００８】
図５はメガネツルのモダン(イ)にゲルマニウム(ロ)を取付けた従来の具体例を表している。円形の穴(ハ)に概略半球形ゲルマニウム(ロ)を嵌めて接着剤で固定されるが、穴(ハ)とゲルマニウム(ロ)の間に僅かな隙間(ニ)が形成され、この隙間(ニ)が表面化する為にモダン(イ)の外観が損なわれる。そして、ゲルマニウム(ロ)は穴底面に塗布した接着剤にて固着されるが、接着面積が限られる為に、該ゲルマニウム(ロ)は剥がれ落ちることがある。又、概略半球形であるために、メガネを掛けた際に肌に接する領域は限られてしまい、ゲルマニウムの効果を十分に得ることが出来難い。
【特許文献１】実用新案登録第３１０５６９４号に係る「メガネフレーム」
【考案の開示】
【考案が解決しようとする課題】
【０００９】
このように、ゲルマニウムの取付け構造には上記のごとき問題がある。本考案が解決しようとする課題はこれら問題点であり、ゲルマニウムが表面から僅かに突出すると共に肌に触れる面積の拡大を図り、しかも外れ落ちないように取着したメガネフレームのツルを提供する。
【課題を解決するための手段】
【００１０】
本考案に係るメガネフレームのツルはゲルマニウムを取付けているが、その取付け構造に特徴がある。以下、幾つかのパターンを列記する。
(１)ゲルマニウムは円盤形状とし、底面中央には小さな凸部を設けている。そこで、ツルのモダンには段付き穴を形成し、円形穴の底に凸部が嵌る小さな穴を有している。そして、段付き穴には接着剤が塗布されてゲルマニウムが固着されるが、表面は僅かに突出した状態で取付けられる。ここで、ゲルマニウムをシリコンなどの樹脂ピースに埋着した状態で上記モダンの穴に接着することもある。
(２)モダン先端に穴を貫通して設け、該貫通穴に両側にツバを形成した概略Ｈ形断面のシリコン樹脂製ピースを取付ける。すなわち、両ツバにてモダンを挟み込んだ状態となる。そして、該シリコン樹脂製ピースにはゲルマニウムを埋着すると共に、表面から僅かに突出した状態とされる。
(３)ツルの金属部に取付ける場合には、シリコン樹脂などの柔らかい樹脂ピースに貫通穴を設け、該貫通穴にツルを挿通して取付ける。そして、ゲルマニウムは上記樹脂ピースに埋着すると共に表面から僅かに突出している。ゲルマニウムをシリコン樹脂ピースに埋着しないで直接明けた穴に挿通して取付けることもある。
【考案の効果】
【００１１】
本考案に係るメガネフレームのツルはゲルマニウムを備えている為に、上記イオン浸透効果、局所加温効果、及びツボ圧着効果を得ることが出来る。そして、該ゲルマニウムはシリコンなど柔らかい樹脂に埋着されている為に、離脱することはない。そして、ゲルマニウムは樹脂ピースの表面から僅かに突出している為に、メガネを掛けた際には肌に接して上記効果を効果的に得ることが出来、円盤状のゲルマニウムでは肌との接触面が大きくなる為にその効果はより大きくなる。又、柔らかい樹脂ピースはモダンの穴になじんで嵌り、外れにくい。そして、ゲルマニウムは樹脂ピースから突出しているが、該樹脂ピースは変形する為にゲルマニウムが肌に当っても痛みを感じることはない。
【実施例】
【００１２】
図１は一般的な金属製メガネフレームを表している実施例であり、フロント部１の両側にはツル２，２が蝶番３，３を介して折畳み出来るように取付けられている。フロント部１はレンズが嵌るリム４，４と連結部材５、及びヨロイ６，６、鼻当てパット７，７で構成され、両リム４，４は連結部材５にて連結され、ヨロイ６，６はリム４，４の両外側にロウ付けされている。そして、ヨロイ６，６の先端に上記ツル２，２が蝶番３，３を介して連結し、ツル先端部には樹脂製のモダン８，８が挿着されている。
【００１３】
ところで、上記モダン８の内側にはゲルマニウム９が取付けられ、メガネを掛けるだけでゲルマニウム９の効果を得ることが出来る。図２はゲルマニウム９の取付け構造を表している実施例であり、(ａ)はゲルマニウム９をモダン８に設けた穴に直接固着している場合、(ｂ)はゲルマニウム９をシリコン樹脂ピース１０に埋着し、該シリコン樹脂ピース１０を穴に嵌めて接着している場合を表している。
【００１４】
(ａ)に示すゲルマニウム９は底に小さな凸部１１を設け、モダン穴は該凸部１１が嵌るように段付き穴と成っている。従って、段付き穴の内面に接着剤が塗布されてゲルマニウム９が固着されるが、凸部１１を設けることで接着面積が大きく成って離脱することが抑制される。そして、ゲルマニウム９はモダン表面１２及びシリコン樹脂ピース１０の表面から僅かに突出している為に、メガネを掛けることでゲルマニウム９は肌に直接接することが出来る。
【００１５】
ここで、(ｂ)に示すようなシリコン樹脂ピース１０にゲルマニウム９を埋着するならば、ゲルマニウム９が肌に接して押圧されても、シリコン樹脂ピース１０が変形して痛みを感じることはない。ゲルマニウム９はシリコン樹脂ピース１０に埋着されると共に離脱しない形状としている。
【００１６】
図３はモダン先端にゲルマニウム９を取付ける他の方法を表し実施例である。モダン８は金属製のツル先端部に挿着されるために、芯金１３が埋着されている為に、一般には図２に示すような取付け構造と成る。しかし、モダン先端には芯金１３が存在しない為に、該モダン８に穴１４を貫通し、この穴１４にシリコン樹脂ピース１５を取付けることが出来る。
【００１７】
図３に示すシリコン樹脂ピース１５は概略Ｈ形断面を成し、軸部１７の両端にはツバ１６，１６が形成されている。軸部１７は上記穴１４とほぼ同じ形状とし、ツバ１６を圧縮してモダン８の穴１４に嵌めて(ｂ)のように取付ける。軸部１７が穴１４に嵌って両ツバ１６，１６にてモダン８が挟み込まれた状態となる。シリコン樹脂ピース１５は伸縮する為に、両ツバ１６，１６はモダン表面と隙間なく密着して取付けられ、該シリコン樹脂ピース１５にはゲルマニウム９が埋着し、一部はシリコン樹脂ピース１５の表面から突出している。
【００１８】
図４は本発明の他の実施例であり、モダン８に近接した位置のツル２に取付けられている。(ａ)はボール状のゲルマニウム９に穴を貫通し、この穴にツル２を挿通して取付けている。位置ズレを防止するために接着することは可能である。一方、(ｂ)はシリコン樹脂ピース１８に穴を貫通してツル２を挿通した場合である。そしてシリコン樹脂ピース１８にはゲルマニウム９が表面を一部突出した状態で埋着されている。
【００１９】
ところで、上記実施例は金属製メガネフレームを具体例として説明したが、樹脂製メガネフレームも対象とする。樹脂製メガネフレームではツルが樹脂製である為にモダンは使用されず、ツルの先端部及びその他適当な位置にゲルマニウムを取付けることが出来る。取付け構造に関しては前記実施例のモダンに取付ける場合と同じである。
【図面の簡単な説明】
【００２０】
【図１】モダンにゲルマニウムを取付けたメガネフレーム。
【図２】モダン内表面にゲルマニウムを取付けた構造。
【図３】モダン先端にシリコン樹脂ピースを介してゲルマニウムを取付ける構造。
【図４】ツルにゲルマニウムを取付ける構造。
【図５】従来のゲルマニウム取付け構造。
【符号の説明】
【００２１】
１  フロント部
２  ツル
３  蝶番
４  リム
５  連結部材
６  ヨロイ
７  鼻当てパット
８  モダン
９  ゲルマニウム
10  シリコン樹脂ピース
11  凸部
12  モダン表面
13  芯金
14  穴
15  シリコン樹脂ピース
16  ツバ
17  軸部
18  シリコン樹脂ピース
【図１】
0003115543.tif 000003
【図２】
0003115543.tif 000004
【図３】
0003115543.tif 000005
【図４】
0003115543.tif 000006
【図５】
0003115543.tif 000007